(57)【要約】【課題】  原稿画像読取装置による遮られ、スキュー等の異常画像等の発生を簡単な構成で容易に防止して、胴内排紙部内は大きなスペースがあり被記録体の除去操作性も良く、ユニット等の交換や調整等のメンテナンス性と外観品質にも優れ、安全で省スペースの画像形成装置を提供する。【解決手段】  原稿画像読取装置１と、原稿画像読取装置１の下方に配置されて被記録体Ｐに画像を形成する画像形成部２と、画像形成部２で画像が形成された被記録体Ｐが上記原稿画像読取装置１と画像形成部２との間に排出される胴内排紙部３と、胴内排紙部３の右手前側又は左手前側を開放した開放部３ａと、開放部３ａを有する胴内排紙部３の上部に原稿画像読取装置１を支持する複数の支持部で原稿画像読取装置１を所定の位置に可動可能に原稿画像読取装置１の側面で支持する可動支持手段４とからなる。【選択図】        図１
2005258303.tif 000002
【特許請求の範囲】
【請求項１】
原稿画像を読み取る原稿画像読取装置と、上記原稿画像読取装置の下方に配置されて被記録体に画像を形成する画像形成部と、上記原稿画像読取装置と上記画像形成部との間に配置されて画像形成されて排出された被記録体を受ける胴内排紙部と、上記胴内排紙部の右手前側、又は、左手前側を開放した開放部と、上記開放部を有する上記胴内排紙部の上部に上記原稿画像読取装置を支持する複数の支持部で上記原稿画像読取装置を所定の位置に動作可能に上記原稿画像読取装置の側面で支持する可動支持手段と、を備えたことを特徴とする画像形成装置。
【請求項２】
請求項１に記載の画像形成装置において、原稿画像読取装置は、原稿画像読取装置本体の上部に自動原稿搬送装置を装着した構成を有することを特徴とする画像形成装置。
【請求項３】
請求項２に記載の画像形成装置において、原稿画像読取装置上に自動原稿搬送装置を装着するための開放阻止部材によって、原稿画像読取装置の開放が阻止される構成を備えることを特徴とする画像形成装置。
【請求項４】
請求項１、２又は３に記載の画像形成装置において、画像形成部は、電子写真方法でトナー画像を被記録体に形成することを特徴とする画像形成装置。
【請求項５】
請求項１、２、３又は４に記載の画像形成装置において、可動支持手段は、原稿画像読取装置を後方の複数の支点で上下に開閉可動に支持する開放手段を備えることを特徴とする画像形成装置。
【請求項６】
請求項５に記載の画像形成装置において、開放手段は、原稿画像読取装置の開放角度を規制する開放角度規制部材を備えることを特徴とする画像形成装置。
【請求項７】
請求項５又は６に記載の画像形成装置において、開放手段は、原稿画像読取装置の開閉を固定する原稿画像読取装置固定部材を備えることを特徴とする画像形成装置。
【請求項８】
請求項５、６又は７に記載の画像形成装置において、開放手段は、原稿画像読取装置を着脱する原稿画像読取装置着脱部材を備えることを特徴とする画像形成装置。
【請求項９】
請求項１、２、３、４、５、６、７又は８に記載の画像形成装置において、可動支持手段は、原稿画像読取装置を複数の支持部で支持する少なくとも一箇所の支持位置を調整する支持位置調整手段を備えることを特徴とする画像形成装置。
【請求項１０】
請求項９に記載の画像形成装置において、支持位置調整手段は、装置本体の側面に位置する構造体に支持されて原稿画像読取装置を複数の支持部で支持する少なくとも一箇所の位置を調整する支持位置調整部材を備えることを特徴とする画像形成装置。
【請求項１１】
請求項９又は１０に記載の画像形成装置において、支持位置調整手段と上記支持位置調整手段を支持する構造体は、外装カバーで覆われていることを特徴とする画像形成装置。
【請求項１２】
請求項１１に記載の画像形成装置において、外装カバーは、原稿画像読取装置における原稿画像読取装置本体のフレームにて位置決め、及び、固定されることを特徴とする画像形成装置。
【請求項１３】
請求項１１に記載の画像形成装置において、外装カバーは、可動支持手段における支持位置調整手段の支持位置調整部材にて位置決め、及び、固定されることを特徴とする画像形成装置。
【請求項１４】
請求項１１に記載の画像形成装置において、外装カバーは、原稿画像読取装置における装置本体のフレームと可動支持手段における支持位置調整手段の支持位置調整部材にて位置決め、及び、固定されることを特徴とする画像形成装置。
【請求項１５】
請求項９、１０、１１、１２、１３又は１４に記載の画像形成装置において、支持位置調整手段は、原稿画像読取装置を支持する少なくとも一箇所の支持位置の微調整を行う駆動ユニットを備えることを特徴とする画像形成装置。
【請求項１６】
請求項９、１０、１１、１２、１３、１４又は１５に記載の画像形成装置において、支持位置調整手段は、原稿画像読取装置を支持する少なくとも一箇所の支持位置を検出する検出ユニットを備えることを特徴とする画像形成装置。
【請求項１７】
請求項９、１０、１１、１２、１３、１４、１５又は１６に記載の画像形成装置において、支持位置調整手段は、原稿画像読取装置を支持する少なくとも一箇所の支持位置を制御する制御ユニットを備えることを特徴とする画像形成装置。
【請求項１８】
請求項９、１０、１１、１２、１３、１４、１５、１６又は１７に記載の画像形成装置において、支持位置調整手段は、原稿画像読取装置を支持する少なくとも一箇所の支持位置の調整を操作パネルから行うことを特徴とする画像形成装置。
【発明の詳細な説明】
【技術分野】
【０００１】
本発明は、画像形成装置に関し、詳しくは、画像が形成された被記録体の記録用紙、転写用紙、カード、ＯＨＰフイルム等を原稿画像読取装置と下方に配置された画像形成部との間に排出するように画像を形成する印刷装置等のインクジェットプリンタや電子写真方法による帯電、書き込み、現像、転写、クリーニング等のプロセスを繰り返してトナー画像を形成する複写機、ファクシミリ装置、プリンタ、あるいはこれ等の複合機等の画像形成装置に関する。
【背景技術】
【０００２】
近年の画像形成装置は、原稿画像読取装置とその原稿画像読取装置の下方に配置された画像形成部との間に、記録用紙、転写用紙、カード、ＯＨＰフイルム等の被記録体が排出される空間である胴内排紙部を設けた省スペース型の構成が大半を占めるようになっている。
このような画像形成装置において、プリンタユニットとスキャナユニットとの間隔が変更可能となるように剛性アームで連結し、剛性アームを外装カバーで覆うようにしたものがあり、このタイプにおいてユーザの要望により胴内排紙部の排紙トレイを増設するときは、ユニット間隔を広げたときに外装カバーと他の外装カバーとの隙間を補助外装カバーでなくするようにして、見栄えをよくするようにした技術は公知である（特許文献１を参照）。
胴内排紙部を設けた省スペース型の画像形成装置の場合は、装置全体の高さが高くなり、上部に位置づけられるスキャナの影響によって重心位置も高くなるため、持ち上げたときの不安定感はより拡大し、更に、胴内排紙空間を備えたカラー画像形成装置の場合は、装置重量も増加するため、この傾向は一層助長されていた。
そこで、作像部の上方に胴内排紙部と画像読取部とを備えた画像形成装置を持ち上げるための取手を、装置本体の作像部よりも上方に設けて、取手の取り扱い性と安全性を改善することも公知である（特許文献２を参照）。
胴内排紙部を設けた省スペース型の画像形成装置において、原稿読取部が、原稿画像の読み取り用のスキャナ部と該スキャナ部を胴内排紙部を形成するための支持手段上に搭載するための天板とからなり、該天板と上記支持手段の固定を、該天板を通して上記支持手段の上面側に螺着するビスやネジ等の固着部材により行い、上記天板と該スキャナ部との固定を胴内排紙部側から該天板を通して該スキャナ部下面に螺着するビスやネジ等の固着部材により行うようにして、原稿読取部を画像形成部の上方に取り付ける作業を容易にすることも公知である（特許文献３を参照）。
【０００３】
更に、胴内排紙部を設けた省スペース型の画像形成装置において、装置枠体を構成する強度部材としての後側板を、作像部後側板と画像読取部、及び、排紙部後側板とに分割して別体としたことによって、製造ラインでの作業性低下を防ぐとともに、他機種とのプリンタ部の共用化を可能とすることも公知である（特許文献４を参照）。
胴内排紙部を設けた省スペース型の従来の画像形成装置においては、原稿読取部の支持は、胴内排紙部内の被記録体の記録用紙、転写用紙、カード、ＯＨＰフイルム等の除去操作性を考慮して右手前側、あるいは、左手前側が開放しており、したがって３点支持となっている。
このような、胴内排紙部を設けた省スペース型の従来の画像形成装置においては、胴内排紙部への排出部が原稿画像読取装置直下に、画像書込部が作像部上方に位置するため、原稿画像読取装置に遮られて、胴内排紙部への被記録体の排出部や画像書込部等の原稿画像読取装置の下の位置にアクセスすることが困難で、メンテナンス性が悪く、自動原稿搬送装置（ＡＤＦ）を増設した場合に重量増となりオペレータへの負担が増えて落下や転倒による事故が発生する危険性があり、原稿画像読取装置自体の交換も困難で取り扱いが容易ではなかった。
例えば、電子写真方法でトナー画像を転写、定着した被記録体を排出する排紙部の上方に原稿画像読取装置が装着された胴内排紙部を設けた省スペース型の従来の画像形成装置の場合、排出した被記録体の取り出し性を考慮して、原稿画像読取装置の下の右手前側、あるいは、左手前側を開放しているのが一般的である。
原稿画像読取装置は、通常四隅で支持されるのだが、上記のような構成の胴内排紙部を設けた省スペース型の従来の画像形成装置の場合、そのうち、３ヶ所は十分に頑丈な構造体で支持する事が可能であるが、原稿画像読取装置の下の右手前側、あるいは、左手前側の開放している１ヶ所については他の３点の支持部と比較して強度的に不十分な構成とならざるを得ず、また部品公差の積み上がりも大きい為にバラツキも発生しやすく、スキュー等の異常画像が発生しやすい状況にあった。
そのために、開放している１ヶ所については、上下方向に微調整可能な調整部材や厚みが変更可能なスペーサを設ける等により、画像の歪みに合わせて調整を行っている。
【０００４】
又、調整部材の調整幅を極力小さくするためには開放している箇所をより頑丈な構造体で支持する事が必要であった。
開放部を支持する構造体の構成としては、原稿画像読取装置の下側の、被記録体の排出部を利用する為、被記録体をより多くスタックさせるために、原稿画像読取装置の下側のスペースを稼ぎたい場合には不向きであった。
更に、原稿画像読取装置の側面を利用した構造体を覆う外装カバーも、安全性を確保する為には十分な強度を持った構造体に固定する必要がある。
又、外装カバーの隙間や段差等の外観品質を維持する為には、原稿画像読取装置に取付く他のカバーや操作パネル、コンタクトガラスとの位置関係も常に一定でなくてはならない。
然し、このような、従来の画像形成装置における原稿画像読取装置は、歪みを調整するために高さを移動しているにもかかわらず、外装カバーを固定する構造体は不動であるため、構造体に外装カバーを固定してしまうと、原稿画像読取装置との位置関係が崩れ、外装カバーが原稿画像読取装置のフレームやコンタクトガラスと干渉して組付けられなかったり、原稿画像読取装置を外装カバーで押さえつけてしまい原稿画像読取装置にねじれが生じて異常画像の不良画像を発生させたり、他の外装カバーや操作パネルとの隙間や段差が大きくなるという不具合を発生させていた。
そこで、これらの不具合等を解消する為に、従来は外装カバーのネジ穴を長穴として構造体にネジ止め固定にしていた。
然しながら、従来のこのような外装カバーの長穴は、調整部材の調整代と同等以上の大きな長穴としておかなければならず、外観品質が劣る好ましくない結果となっていた。
【０００５】
又、従来のこのような外装カバーは、不動の構造体にネジ止め固定されているために、調整部材を調整する場合にはこの外装カバーを先に取り外さなければならず作業時間が増大していた。
又、また調整位置は事前にバラツキを含めて調査し、作業時間を短縮する為に、組立時にすべての画像形成装置に固定の調整位置で対応していたため各装置毎に最適の調整位置とはなっていなかった。
更に、原稿画像読取装置の位置調整はモータ等の駆動手段と位置を検出する検出手段を具備すれば、原稿画像読取装置や画像形成部の出力値をフイードバックさせることによって、操作パネル上からユーザが手入力により調整することも可能であると考えられたが、このような、従来の画像形成装置の構成では外装カバーが不動の構造体へ固定されているために、原稿画像読取装置の位置調整に追従することが出来ず、外装カバーを外すことが前提となるためユーザによる操作パネル上からの位置調整は実際には不可能で、原稿画像読取装置の位置調整を行うことは困難であった。
【特許文献１】特開２００２−２３４３７公報、
【特許文献２】特開２００２−２９６８５７公報
【特許文献３】特開平１１−１６４０７６号公報
【特許文献４】特開平８−３３９１０８号公報
【発明の開示】
【発明が解決しようとする課題】
【０００６】
このように従来の画像形成装置においては、原稿画像読取装置に遮られて、胴内排紙部への被記録体の排出部や画像書込部等の原稿画像読取装置の下の位置にアクセスすることが困難でメンテナンス性が悪く、自動原稿搬送装置（ＡＤＦ）を増設した場合に重量増となりオペレータへの負担が増えて落下や転倒による事故が発生する危険性があり、原稿画像読取装置自体の交換も困難で取り扱いが容易ではなく、胴内排紙部の開放部が強度的に不十分な構成とならざるを得ず、又、部品公差の積み上がりも大きい為にバラツキも発生しやすく、スキュー等の異常画像が発生しやすい状況にあり、被記録体をより多くスタックさせるために原稿画像読取装置の下側のスペースを稼ぎたい場合には不向きであり、更に、外装カバーが組付けられなかったり、ねじれ等により異常画像や大きな段差が発生したり、外観品質も劣り、位置調整の作業が困難で作業時間も増大する等と言う不具合が生じていた。
そこで本発明の課題は、このような問題点を解決するものである。即ち、原稿画像読取装置による遮られ、スキュー等の異常画像等の発生を簡単な構成で容易に防止して、胴内排紙部内は大きなスペースがあり被記録体の除去操作性も良く、ユニット等の交換や調整等のメンテナンス性と外観品質にも優れ、安全で省スペースの画像形成装置を提供することを目的とする。
【課題を解決するための手段】
【０００７】
上記目的を達成するために、請求項１に記載の本発明は、画像が形成された被記録体を原稿画像読取装置と下方に配置された画像形成部との間に排出するように画像を形成する画像形成装置において、原稿画像を読み取る原稿画像読取装置と、上記原稿画像読取装置の下方に配置されて被記録体に画像を形成する画像形成部と、上記画像形成部で画像が形成された被記録体が上記原稿画像読取装置と上記画像形成部との間に排出される胴内排紙部と、上記胴内排紙部の右手前側、又は、左手前側を開放した開放部と、上記開放部を有する上記胴内排紙部の上部に上記原稿画像読取装置を支持する複数の支持部で上記原稿画像読取装置を所定の位置に可動可能に上記原稿画像読取装置の側面で支持する可動支持手段とからなる画像形成装置であることを最も主要な特徴とする。
又は、請求項２に記載の本発明は、請求項１に記載の画像形成装置において、原稿画像読取装置は、原稿画像読取装置本体の上部に自動原稿搬送装置を装着する画像形成装置であることを主要な特徴とする。
又は、請求項３に記載の本発明は、請求項２に記載の画像形成装置において、原稿画像読取装置は、自動原稿搬送装置の装着により開放を阻止する開放阻止部材とからなる画像形成装置であることを主要な特徴とする。
又は、請求項４に記載の本発明は、請求項１、２又は３に記載の画像形成装置において、画像形成部は、電子写真方法でトナー画像を被記録体に形成する画像形成装置であることを主要な特徴とする。
又は、請求項５に記載の本発明は、請求項１、２、３又は４に記載の画像形成装置において、可動支持手段は、原稿画像読取装置を後方の複数の支点で上下に開閉可動に支持する開放手段からなる画像形成装置であることを主要な特徴とする。
【０００８】
又は、請求項６に記載の本発明は、請求項５に記載の画像形成装置において、開放手段は、原稿画像読取装置の開放角度を規制する開放角度規制部材とからなる画像形成装置であることを主要な特徴とする。
又は、請求項７に記載の本発明は、請求項５又は６に記載の画像形成装置において、開放手段は、原稿画像読取装置の開閉を固定する原稿画像読取装置固定部材とからなる画像形成装置であることを主要な特徴とする。
又は、請求項８に記載の本発明は、請求項５、６又は７に記載の画像形成装置において、開放手段は、原稿画像読取装置を着脱する原稿画像読取装置着脱部材とからなる画像形成装置であることを主要な特徴とする。
又は、請求項９に記載の本発明は、請求項１、２、３、４、５、６、７又は８に記載の画像形成装置において、可動支持手段は、原稿画像読取装置を複数の支持部で支持する少なくとも一箇所の支持位置を調整する支持位置調整手段とからなる画像形成装置であることを主要な特徴とする。
又は、請求項１０に記載の本発明は、請求項９に記載の画像形成装置において、支持位置調整手段は、装置本体の側面に位置する構造体に支持されて原稿画像読取装置を複数の支持部で支持する少なくとも一箇所の位置を調整する支持位置調整部材からなる画像形成装置であることを主要な特徴とする。
又は、請求項１１に記載の本発明は、請求項９又は１０に記載の画像形成装置において、支持位置調整手段と上記支持位置調整手段を支持する構造体は、外装カバーで覆われている画像形成装置であることを主要な特徴とする。
又は、請求項１２に記載の本発明は、請求項１１に記載の画像形成装置において、外装カバーは、原稿画像読取装置における原稿画像読取装置本体のフレームで位置決め、及び、固定される画像形成装置であることを主要な特徴とする。
【０００９】
又は、請求項１３に記載の本発明は、請求項１１に記載の画像形成装置において、外装カバーは、可動支持手段における支持位置調整手段の支持位置調整部材で位置決め、及び、固定される画像形成装置であることを主要な特徴とする。
又は、請求項１４に記載の本発明は、請求項１１に記載の画像形成装置において、外装カバーは、原稿画像読取装置における装置本体のフレームと可動支持手段における支持位置調整手段の支持位置調整部材で位置決め、及び、固定される画像形成装置であることを主要な特徴とする。
又は、請求項１５に記載の本発明は、請求項９、１０、１１、１２、１３又は１４に記載の画像形成装置において、支持位置調整手段は、原稿画像読取装置を支持する少なくとも一箇所の支持位置の微調整を行う駆動ユニットからなる画像形成装置であることを主要な特徴とする。
又は、請求項１６に記載の本発明は、請求項９、１０、１１、１２、１３、１４又は１５に記載の画像形成装置において、支持位置調整手段は、原稿画像読取装置を支持する少なくとも一箇所の支持位置を検出する検出ユニットからなる画像形成装置であることを主要な特徴とする。
又は、請求項１７に記載の本発明は、請求項９、１０、１１、１２、１３、１４、１５又は１６に記載の画像形成装置において、支持位置調整手段は、原稿画像読取装置を支持する少なくとも一箇所の支持位置を制御する制御ユニットからなる画像形成装置であることを主要な特徴とする。
又は、請求項１８に記載の本発明は、請求項９、１０、１１、１２、１３、１４、１５、１６又は１７に記載の画像形成装置において、支持位置調整手段は、原稿画像読取装置を支持する少なくとも一箇所の支持位置の調整を操作パネルから行う画像形成装置であることを主要な特徴とする。
【発明の効果】
【００１０】
本発明は、以下に説明するように構成されているので、請求項１の発明によれば、原稿画像読取装置に遮られ、スキュー等の異常画像等の発生を簡単な構成で容易に防止して、胴内排紙部内は大きなスペースがあり被記録体の除去操作性も良く、ユニット等の交換や調整等のメンテナンス性に優れ、省スペースの画像形成装置を提供することが出来るようになった。
請求項２の発明によれば、原稿画像読取装置に遮られ、スキュー等の異常画像等の発生を簡単な構成で容易に防止して、胴内排紙部内は大きなスペースがあり被記録体の除去操作性も良く、ユニット等の交換や調整等のメンテナンス性に優れ、省スペースの原稿を自動的に搬送する画像形成装置を提供することが出来るようになった。
請求項３の発明によれば、原稿画像読取装置に遮られ、スキュー等の異常画像等の発生を簡単な構成で容易に防止して、胴内排紙部内は大きなスペースがあり被記録体の除去操作性も良く、ユニット等の交換や調整等のメンテナンス性に優れ、落下等による事故が発生する危険性を確実に排除して安全が確実に確保出来て、省スペースの原稿を自動的に搬送する画像形成装置を提供することが出来るようになった。
請求項４の発明によれば、原稿画像読取装置に遮られ、スキュー等の異常画像等の発生を簡単な構成で容易に防止して、胴内排紙部内は大きなスペースがあり被記録体の除去操作性も良く、ユニット等の交換や調整等のメンテナンス性に優れ、省スペースで高速で高品質の画像を形成する画像形成装置を提供することが出来るようになった。
【００１１】
請求項５の発明によれば、原稿画像読取装置に遮られ、スキュー等の異常画像等の発生を簡単な構成で容易に防止して、胴内排紙部内は大きなスペースがあり被記録体の除去操作性も良く、原稿画像読取装置の原稿画像読取装置本体に遮られことがなく画像形成部内の書き込みユニット等へのアクセスが簡易に出来るようになり、ユニット等の交換や調整等のメンテナンス性は著しく向上して優れ、省スペースの画像形成装置を提供することが出来るようになった。
請求項６の発明によれば、原稿画像読取装置に遮られ、スキュー等の異常画像等の発生を簡単な構成で容易に防止して、胴内排紙部内は大きなスペースがあり被記録体の除去操作性も良く、原稿画像読取装置の原稿画像読取装置本体に遮られことがなく画像形成部内の書き込みユニット等へのアクセスが簡易に出来るようになり、ユニット等の交換や調整等のメンテナンス性は著しく向上して優れ、後方転倒等の仕損を未然に抑制して安全が確実に確保出来て省スペースの画像形成装置を提供することが出来るようになった。
請求項７の発明によれば、原稿画像読取装置に遮られ、スキュー等の異常画像等の発生を簡単な構成で容易に防止して、胴内排紙部内は大きなスペースがあり被記録体の除去操作性も良く、原稿画像読取装置の原稿画像読取装置本体に遮られことがなく画像形成部内の書き込みユニット等へのアクセスが簡易に出来るようになり、ユニット等の交換や調整等のメンテナンス性は著しく向上して優れ、原稿画像読取装置の原稿画像読取装置本体の開放を阻止するように開閉を確実に固定して安全が確実に確保出来る省スペースの画像形成装置を提供することが出来るようになった。
請求項８の発明によれば、原稿画像読取装置に遮られ、スキュー等の異常画像等の発生を簡単な構成で容易に防止して、胴内排紙部内は大きなスペースがあり被記録体の除去操作性も良く、原稿画像読取装置の原稿画像読取装置本体に遮られことがなく画像形成部内の書き込みユニット等へのアクセスが簡易に出来るようになり、原稿画像読取装置の原稿画像読取装置本体の分離交換性を向上させることが出来るようになり、ユニット等の交換や調整等のメンテナンス性は著しく向上して優れ、省スペースの画像形成装置を提供することが出来るようになった。
【００１２】
請求項９の発明によれば、原稿画像読取装置に遮られ、スキュー等の異常画像等の発生を簡単な構成で容易に防止して、胴内排紙部内は大きなスペースがあり被記録体の除去操作性も良く、ユニット等の交換や少なくとも他の３点の支持部と比較して強度的に不十分な構成の胴内排紙部の開放部における原稿画像読取装置によるスキュー等の異常画像等の発生を容易に防止する調整等のメンテナンス性に優れ、省スペースの画像形成装置を提供することが出来るようになった。
請求項１０の発明によれば、原稿画像読取装置に遮られ、スキュー等の異常画像等の発生を簡単な構成で容易に防止して、胴内排紙部内は大きなスペースがあり被記録体の除去操作性も良く、ユニット等の交換や少なくとも他の３点の支持部と比較して強度的に不十分な構成の胴内排紙部の開放部における原稿画像読取装置によるスキュー等の異常画像等の発生を支持位置調整部材の簡単な構成で容易に防止する調整等のメンテナンス性に優れ、省スペースの画像形成装置を提供することが出来るようになった。
請求項１１の発明によれば、原稿画像読取装置に遮られ、スキュー等の異常画像等の発生を簡単な構成で容易に防止して、胴内排紙部内は大きなスペースがあり被記録体の除去操作性も良く、ユニット等の交換や少なくとも他の３点の支持部と比較して強度的に不十分な構成の胴内排紙部の開放部における原稿画像読取装置によるスキュー等の異常画像等の発生を容易に防止する調整等のメンテナンス性と外観品質にも優れ、安全で省スペースの画像形成装置を提供することが出来るようになった。
請求項１２の発明によれば、原稿画像読取装置に遮られ、スキュー等の異常画像等の発生を簡単な構成で容易に防止して、胴内排紙部内は大きなスペースがあり被記録体の除去操作性も良く、ユニット等の交換や原稿画像読取装置における原稿画像読取装置本体のフレームで位置決め、及び、固定された外装カバーを外すことなく、少なくとも他の３点の支持部と比較して強度的に不十分な構成の胴内排紙部の開放部における原稿画像読取装置によるスキュー等の異常画像等の発生を容易に防止する調整等のメンテナンス性と外観品質にも優れ、安全で省スペースの画像形成装置を提供することが出来るようになった。
【００１３】
請求項１３の発明によれば、原稿画像読取装置に遮られ、スキュー等の異常画像等の発生を簡単な構成で容易に防止して、胴内排紙部内は大きなスペースがあり被記録体の除去操作性も良く、ユニット等の交換や可動支持手段における支持位置調整手段の支持位置調整部材で位置決め、及び、固定された外装カバーを外すことなく、少なくとも他の３点の支持部と比較して強度的に不十分な構成の胴内排紙部の開放部における原稿画像読取装置によるスキュー等の異常画像等の発生を容易に防止する調整等のメンテナンス性と外観品質にも優れ、安全で省スペースの画像形成装置を提供することが出来るようになった。
請求項１４の発明によれば、原稿画像読取装置に遮られ、スキュー等の異常画像等の発生を簡単な構成で容易に防止して、胴内排紙部内は大きなスペースがあり被記録体の除去操作性も良く、ユニット等の交換や原稿画像読取装置における原稿画像読取装置本体のフレームと可動支持手段における支持位置調整手段の支持位置調整部材で位置決め、及び、固定された外装カバーを外すことなく、少なくとも他の３点の支持部と比較して強度的に不十分な構成の胴内排紙部の開放部における原稿画像読取装置によるスキュー等の異常画像等の発生を容易に防止する調整等のメンテナンス性と外観品質にも優れ、安全で省スペースの画像形成装置を提供することが出来るようになった。
請求項１５の発明によれば、原稿画像読取装置に遮られ、スキュー等の異常画像等の発生を簡単な構成で容易に防止して、胴内排紙部内は大きなスペースがあり被記録体の除去操作性も良く、ユニット等の交換や少なくとも他の３点の支持部と比較して強度的に不十分な構成の胴内排紙部の開放部における原稿画像読取装置によるスキュー等の異常画像等の発生を容易に防止する可動支持手段の支持位置調整手段の微調整を自動で行うことが可能となり調整等のメンテナンス性に優れ、省スペースの画像形成装置を提供することが出来るようになった。
【００１４】
請求項１６の発明によれば、原稿画像読取装置に遮られ、スキュー等の異常画像等の発生を簡単な構成で容易に防止して、胴内排紙部内は大きなスペースがあり被記録体の除去操作性も良く、ユニット等の交換や少なくとも他の３点の支持部と比較して強度的に不十分な構成の胴内排紙部の開放部における原稿画像読取装置によるスキュー等の異常画像等の発生を容易に防止する可動支持手段の支持位置調整手段の微調整を高精度で行うことが可能となり調整等のメンテナンス性に優れ、省スペースの画像形成装置を提供することが出来るようになった。
請求項１７の発明によれば、原稿画像読取装置に遮られ、スキュー等の異常画像等の発生を簡単な構成で容易に防止して、胴内排紙部内は大きなスペースがあり被記録体の除去操作性も良く、ユニット等の交換や少なくとも他の３点の支持部と比較して強度的に不十分な構成の胴内排紙部の開放部における原稿画像読取装置によるスキュー等の異常画像等の発生を容易に防止する可動支持手段の支持位置調整手段の微調整を最適な調整位置に自動的に行うことが可能となり調整等のメンテナンス性に優れ、省スペースの画像形成装置を提供することが出来るようになった。
請求項１８の発明によれば、原稿画像読取装置に遮られ、スキュー等の異常画像等の発生を簡単な構成で容易に防止して、胴内排紙部内は大きなスペースがあり被記録体の除去操作性も良く、ユニット等の交換や少なくとも他の３点の支持部と比較して強度的に不十分な構成の胴内排紙部の開放部における原稿画像読取装置によるスキュー等の異常画像等の発生を容易に防止する可動支持手段の支持位置調整手段の微調整をユーザや工場内でも手間を省けて簡単な構造で容易に行うことが可能となり調整等のメンテナンス性に優れ、省スペースの画像形成装置を提供することが出来るようになった。
【発明を実施するための最良の形態】
【００１５】
次に、本発明の実施の形態を図面を参照して詳細に説明する。
図１と図２において、画像が形成された被記録体を原稿画像読取装置と下方に配置された画像形成部との間に排出するように画像を形成する画像形成装置０は、原稿画像を読み取る原稿画像読取装置１と、上記原稿画像読取装置１の下方に配置されて被記録体Ｐの記録用紙、転写用紙、カード、ＯＨＰフイルム等に画像を形成する画像形成部２と、画像形成部２で画像が形成された被記録体Ｐが原稿画像読取装置１と画像形成部２との間に排出される胴内排紙部３と、胴内排紙部３の図示しない右手前側、又は、左手前側を開放した開放部３ａと、開放部３ａを有する胴内排紙部３の上部に原稿画像読取装置１を支持する複数の支持部で原稿画像読取装置１を所定の位置に可動可能に原稿画像読取装置１の側面で支持する可動支持手段４の開放手段４ａや支持位置調整手段４ｂとからなり、原稿画像読取装置１に原稿画像読取装置１の下方の位置が遮られ、他の３点の支持部と比較して強度的に不十分な構成の胴内排紙部３の開放部３ａにおける原稿画像読取装置１によるスキュー等の異常画像等の発生を簡単な構成で容易に防止して、胴内排紙部３内は大きなスペースがあり被記録体Ｐの取り出しの除去操作性や図示しないトナーカートリッジ等のサプライの交換性も向上して良く、ユニット等の交換や調整等のメンテナンス性に優れ、省スペースである。
画像形成装置０のデジタル複写装置は、原稿Ｏの原稿画像を読み取る原稿画像読取装置１と、原稿画像読取装置１の下方に配置されて電子写真方法でトナー画像を形成する画像形成部２と、画像形成部２を載置する給紙装置７の給紙カセット７ａ、給紙カセット７ｂ、給紙カセット７ｃとからなり、画像形成部２と原稿画像読取装置１との間に、画像形成部２における電子写真方法でトナー画像が形成された被記録体Ｐが排紙されてスタックされる胴内排紙部３を配置しているから、設置面積を少なくして省スペース化されて、高速で高品質のトナー画像を形成するようになっている。
原稿画像読取装置１は、原稿画像読取装置本体１ａ、自動原稿搬送装置（ＡＤＦ）１ｂ、上記自動原稿搬送装置（ＡＤＦ）１ｂから送り出される原稿Ｏをスタックする原稿排紙トレイ１ｄ等からなり、操作側の手前に一体的に操作パネル６が配置して固定されて、操作パネル６の図示しない操作部材によって、支持位置調整手段４ｂの操作が可能になっており、支持位置調整手段４ｂにより簡単に原稿画像読取装置１を支持する少なくとも一箇所の支持位置の調整をすることが出来る。
【００１６】
図２に図示のように、自動原稿搬送装置（ＡＤＦ）１ｂの原稿台１ｂ１上には原稿Ｏが載置され、図示していないプリントキーが押下されると、最上位の原稿Ｏがピックアップローラ１ｂ２の回転により、図示の矢印（Ａ）方向へ送り出され、原稿搬送ベルト１ｂ３の回転により、コンタクトガラス１ａ２上に給送され、ここで停止する。
ここで、ピックアップローラ１ｂ２や、原稿搬送ベルト１ｂ３等を駆動する図示しないモータ、クラッチ、及び、モータ、クラッチ等を制御する電装基板は、上記ピックアップローラ１ｂ２や、上記原稿搬送ベルト１ｂ３の背面に設けられている。
上記コンタクトガラス１ａ２上に載置された原稿Ｏの原稿画像は、上記原稿画像読取装置本体１ａ内の読み取りユニット１ａ３によって読み取られる。
読み取りユニット１ａ３は、コンタクトガラス１ａ２上の原稿を照明する光源１ａ３１と、原稿Ｏの原稿画像を結像する光学系１ａ３２と、原稿Ｏの原稿画像が結蔵されるＣＣＤ１ａ３３よりなる光電変換素子を有している。
原稿Ｏの原稿画像の読み取り終了後、その原稿Ｏは、原稿搬送ベルト１ｂ３の回転により図示の矢印Ｂ方向に搬送され、上記原稿排紙トレイ１ｄ上に排出される。
このようにして、原稿Ｏが、１枚ずつコンタクトガラス１ａ２上に給送され、その原稿Ｏの原稿画像が読み取りユニット１ａ３によって自動的に読み取られる。
【００１７】
一方、電子写真方法によりトナー画像が形成される画像形成部２の内部には、像担持体２ａの感光体ドラムが回動可能に支持されて配置されている。
像担持体２ａは、図２に図示の矢印Ｃ方向の反時計方向に回転駆動され、この時、帯電装置２ｂによって、像担持体２ａの表面が所定の電位に帯電される。
又、書き込みユニット２ｃからは、読み取りユニット１ａ３により読み取られた画像情報に応じて光変調されたレーザー光Ｌが出射し、そのレーザー光Ｌが帯電された像担持体２ａの表面を露光し、これによって、像担持体２ａの表面に静電潜像が形成される。
像担持体２ａ表面に形成された静電潜像は、現像装置２ｄを通過するとき現像されてトナー画像となり、対向する転写装置２ｅによって、像担持体２ａと上記転写装置２ｅの間に給送された被記録体Ｐの記録用紙に転写されて記録される。
トナー画像が被記録体Ｐの記録用紙に転写後の像担持体２ａ表面は、クリーニング装置２ｆによって清掃されて、次工程の画像形成に備えられる。
画像形成部２の下部に給紙装置７が配置され、被記録体Ｐの記録用紙を収容した複数のいずれかの給紙カセット７ａ、給紙カセット７ｂ、給紙カセット７ｃから図示の矢印（Ｄ）方向に送り出されて、その被記録体Ｐの記録用紙の表面に、上述のように像担持体２ａ表面に形成されたトナー画像が転写される。
次に、被記録体Ｐは図示の矢印Ｅ方向に画像形成部２内の定着装置２ｇを通過し、この時の熱と圧力の作用によって、被記録体Ｐ表面に転写されたトナー画像がその表面に定着される。
上記定着装置２ｇを通過した被記録体Ｐは、排出部２ｈの排出ローラ対２ｈ１によって搬送され、図示の矢印Ｆ方向に排出されて、胴内排紙部３内にスタックされ収納される。
【００１８】
図３は本発明の一実施形態に係る可動支持手段を含む要部構成を示す分会斜視図、図４は組立状態の要部構成図であり、各図において、画像形成装置０は、画像形成部２と原稿画像読取装置１の原稿画像読取装置本体１ａとの間に被記録体Ｐの大きい排出スペースの胴内排紙部３が確保されており、ストックされる記録体Ｐの除去作業の除去作業操作性を向上すべく、図示のように左手前が開放された開放部３ａが形成されている。
可動支持手段４の開放手段４ａは、原稿画像読取装置本体１ａの後方の複数の支点で、原稿画像読取装置本体１ａの側面を図示の矢印Ｇ方向の上下に開閉可動に支持している。
従って、画像形成装置０は、胴内排紙部３に被記録体Ｐを排出する排出部２ｈや画像形成部２内の図示しない書き込みユニット２ｃ等は、原稿画像読取装置本体１ａを図示の矢印Ｇ方向の開放方向の位置に開放することにより、原稿画像読取装置本体１ａによって遮られることがなくなり、メンテナンス性は著しく向上して優れている他、胴内排紙部３下の外装材カバー５を除去することで内部の画像形成部２内の図示しない上記書き込みユニット２ｃ等へのアクセスが簡易に出来るようになった。
【００１９】
図５において、開放手段４ａの原稿画像読取装置固定部材４ａ２の固定螺子の締め付けによって、原稿画像読取装置本体１ａの図示の矢印Ｈ方向への開放を阻止するように、開閉を確実に固定して安全が確実に確保出来るようになっている。
原稿画像読取装置本体１ａは、自動原稿搬送装置（ＡＤＦ）着脱部材５ａに付属する開放阻止部材１ｃにより、自動原稿搬送装置（ＡＤＦ）１ｂの装着により図示の矢印Ｈ方向への開放が阻止される。
自動原稿搬送装置（ＡＤＦ）着脱部材５ａに付属する開放阻止部材１ｃは、原稿画像読取装置本体１ａに自動原稿搬送装置（ＡＤＦ）１ｂを図示の矢印Ｉ方向に装着することにより、原稿画像読取装置固定部材４ａ２の固定螺子の外側にカバー状に張り出して、固定螺子を隠すようになっている。
そして、自動原稿搬送装置（ＡＤＦ）１ｂを原稿画像読取装置本体１ａから外さないと、原稿画像読取装置本体１ａを図示の矢印Ｈ方向に開放することが出来ないようになっている。
オペレータが、原稿画像読取装置本体１ａを図示の矢印Ｈ方向に開放するためには、画像形成部２との原稿画像読取装置固定部材４ａ２の固定螺子の締め付けを外すために、（１）自動原稿搬送装置（ＡＤＦ）１ｂを外し、（２）その下の開放阻止部材１ｃが付属する自動原稿搬送装置（ＡＤＦ）着脱部材５ａを外す操作をしないと原稿画像読取装置固定部材４ａ２の固定螺子は露出しない。
従って、画像形成装置０は、原稿画像読取装置本体１ａの上方に自動原稿搬送装置（ＡＤＦ）１ｂが増設されている構成でも（図１を参照）、その増設分の重量が増すため、原稿画像読取装置本体１ａの開放時の負担が増し、オペレータによっては耐えられず開放途中で操作できず手を離して、落下等による事故が発生する危険性を、確実に排除して安全が確実に確保することが出来るようになっている。つまり、自動原稿搬送装置１ｂを外さない限り、原稿画像読取装置１ａを開放できないので、従来のような危険がなくなる。
【００２０】
図６において、画像形成装置０は、開放手段４ａの開放角度規制部材４ａ１によって、原稿画像読取装置本体１ａの開放角度を規制するようになっている。
開放手段４ａは、原稿画像読取装置本体１ａ側のフレーム１ａ１に固定された開放支点部材（支持穴）１ａ１１に画像形成部２側からの支点部材４ａ４に固定された支点軸４ａ５が貫通している。
これとは別に、支点部材４ａ４から開放角度規制部材４ａ１が、原稿画像読取装置本体１ａ側のフレーム１ａ１に固定された開放支点部材１ａ１１と共に、形成された開口部１ａ１２にオーバーラップする構成になっている。開放角度規制部材４ａ１は、円弧状の開口部１ａ１２内に嵌合した状態で、支点軸４ａ５を中心として上下方向に回動し、開口部１ａ１２によって回動角度範囲の限界が定められる。
原稿画像読取装置本体１ａが開放されていくと、ある角度で開放角度規制部材４ａ１が開口部１ａ１２と干渉して、角度規制が行われる。
従って、上記画像形成装置０は、原稿画像読取装置本体１ａを大きく開放して、原稿画像読取装置本体１ａ自体の重心が後方に移動することによる、後方転倒等の不具合を、未然に抑制して安全が確実に確保出来るようになっている。
【００２１】
図７において、開放手段４ａの原稿画像読取装置着脱部材４ａ３は、原稿画像読取装置本体１ａを着脱して交換することが容易に出来るようになっている。
原稿画像読取装置着脱部材４ａ３は、支点軸４ａ５と開放角度規制部材４ａ１を支点部材４ａ４とは別体にした部材である。
原稿画像読取装置本体１ａを交換等のために取り外す際は、図示しない結線や原稿画像読取装置固定部材４ａ２の固定螺子と原稿画像読取装置着脱部材固定螺子４ａ３１を外し、原稿画像読取装置着脱部材４ａ３を図示の矢印Ｋ方向に抜くことで、原稿画像読取装置本体１ａと支点部材４ａ４が固定されている画像形成部２は容易に分離できる。
従って、画像形成装置０は、原稿画像読取装置着脱部材４ａ３により、原稿画像読取装置本体１ａの分離交換性を向上させることが出来るようになった。
図８と図９において、図示する画像形成装置１０は、原稿画像を読み取る原稿画像読取装置１と、原稿画像読取装置１の下方に配置されて被記録体Ｐに画像を形成する画像形成部２と、画像形成部２で画像が形成された被記録体Ｐが原稿画像読取装置１と画像形成部２との間に排出される胴内排紙部３と、胴内排紙部３の右手前側を開放した開放部３ａと、開放部３ａを有する胴内排紙部３の上部に原稿画像読取装置１を支持する複数の支持部で原稿画像読取装置１を所定の位置に可動可能に原稿画像読取装置１の側面で支持する可動支持手段４（原稿画像読取装置本体１ａを複数の支持部で支持する少なくとも一箇所の支持位置を調整する支持位置調整手段４ｂ）とからなり、他の３点の支持部と比較して強度的に不十分な構成の胴内排紙部３の開放部３ａにおける原稿画像読取装置１によるスキュー等の異常画像等の発生を簡単な構成で容易に防止して、胴内排紙部３内は大きなスペースがあり被記録体Ｐの取り出しの除去操作性や図示しないトナーカートリッジ等のサプライの交換性も向上して良く、調整等のメンテナンス性に優れ、省スペースである。
【００２２】
支持位置調整部材４ｂ１は、装置本体０ａの側面に位置する構造体０ｂに支持されて原稿画像読取装置本体１ａを複数の支持部で支持する少なくとも一箇所の位置を簡単な構成で容易に調整するようになっている。
原稿画像読取装置本体１ａは、装置本体フレーム０ａ１、装置本体フレーム０ａ２上の図中のＸ印部の３ヶ所で支持されて図示しない固定部材で固定されている。
胴内排紙部３の右手前の開放部３ａは、装置本体フレーム０ａ２に固定されたＬ字型の構造体０ｂによって右側面から上下方向に移動可能な支持位置調整部材４ｂ１を介して支持固定されている。
構造体０ｂの、更に、外側から外装カバーの右カバー５ｂの手前側は構造体０ｂに、その後側はフレーム１ａ１に螺子止めされている。
右カバー５ｂの手前側は、支持位置調整部材４ｂ１によって位置が変動する為、右カバー５ｂが支持位置調整部材４ｂ１、及び、原稿画像読取装置本体１ａに追従可能なように螺子穴５ｂ１が螺子穴５ｂ２と異なり縦方向に長穴となっている。
支持位置調整部材４ｂ１を固定して支持する構造体０ｂは、外側を右カバー５ｂで覆われて外観品質にも優れ、安全である。
尚、原稿画像読取装置本体１ａと支持位置調整部材４ｂ１の組立時の手順は、（１）構造体０ｂに支持位置調整部材４ｂ１を仮止めする、（２）原稿画像読取装置本体１ａを支持位置調整部材４ｂ１に乗せる、（３）支持位置調整部材４ｂ１と原稿画像読取装置本体１ａのフレーム１ａ１を固定する、（４）支持位置調整部材４ｂ１を適正な位置に調整して構造体０ｂに固定して支持する、（５）右カバー５ｂを螺子５ｂ３で螺子止めする。
【００２３】
図１０は本発明の他の実施形態の要部構成説明図であり、同図において、画像形成装置１００と画像形成装置１０との違いは、外装カバー５の右カバー５ｂの位置決め、固定が、右カバー５ｂの手前側も、図示の矢印Ｊのように、原稿画像読取装置本体１ａのフレーム１ａ１に直接螺子止めされているところである。
同様に、支持位置調整部材４ｂ１と支持位置調整部材４ｂ１を固定して支持する構造体０ｂは、右カバー５ｂで覆われて外観品質にも優れ、安全である。
Ｌ字板としての構造体０ｂの先端には、長穴が設けられ、支持位置調整部材４ｂ１の上下位置を微調整しながら螺子止めで取り付けることができる。
尚、画像形成装置１００における、原稿画像読取装置本体１ａと支持位置調整部材４ｂ１の組立時の手順は、（１）構造体０ｂに支持位置調整部材４ｂ１を仮止めする、（２）原稿画像読取装置本体１ａを支持位置調整部材４ｂ１に乗せる、（３）支持位置調整部材４ｂ１と原稿画像読取装置本体１ａのフレーム１ａ１を固定する、（４）右カバー５ｂを螺子５ｂ３で螺子止めをする、（５）右カバー５ｂの開口部（穴）５ｂ４から仮止めした支持位置調整部材４ｂ１の図示しない螺子を緩め、（６）支持位置調整部材４ｂ１を所定の適正な位置に調整して上記構造体０ｂに固定して行われる。
ここでは、原稿画像読取装置本体１ａのフレーム１ａ１に位置決め固定する方式のみを示したが、支持位置調整部材４ｂ１の垂直面を利用して右カバー５ｂを位置決め固定する事も出来るし、支持位置調整部材４ｂ１が前後両方に装着され、支持位置調整部材４ｂ１が原稿画像読取装置本体１ａの奥行きと同等の長さであれば、右カバー５ｂの位置決め固定は全て支持位置調整部材４ｂ１に対して行っても良い。
従って、原稿画像読取装置本体１ａによる操作の障害、スキュー等の異常画像等の発生を簡単な構成で容易に防止して、胴内排紙部３内は大きなスペースがあり被記録体Ｐの除去操作性も良く、ユニット等の交換や、右カバー５ｂを装着したまま支持位置調整部材４ｂ１の調整が可能となり、調整等のメンテナンス性と外観品質にも優れ、安全で省スペースの画像形成装置１００を提供することが出来るようになった。
【００２４】
図１１と図１２は本発明の他の実施形態の要部構成図であり、同図において、画像形成装置１０００は、可動支持手段４の支持位置調整手段４ｂの駆動ユニット４ｂ２によって、原稿画像読取装置本体１ａを支持する少なくとも一箇所の支持位置の微調整を自動で行うことが出来るようになった。
駆動ユニット４ｂ２は、構造体０ｂとフレーム１ａ１に、段付螺旋４ｂ２１で上下方向に移動可能に螺子止めされている。構造体０ｂには、段付螺旋４ｂ２１を嵌合する長穴が形成されている。
そして、構造体０ｂの内側面には、軸４ｂ２２が立っており、軸４ｂ２２を中心に回転するウォームホイール４ｂ２３のフレーム１ａ１側には、軸４ｂ２２に対して、図示のように偏心（Ｘ＜Ｙ）させた偏心ボス４ｂ２４が立っている。
ウォームホイール４ｂ２３の回転駆動は、円筒ウォーム４ｂ２５を回転軸上に取り付けたステッピングモータ等の駆動源４ｂ２６によって行っている。
偏心ボス４ｂ２４は、原稿画像読取装置本体１ａの上記フレーム１ａ１側の長穴４ｂ２７に入り込み、上記駆動源４ｂ２６の駆動が伝達され上記偏心ボス４ｂ２４が回動する事で、原稿画像読取装置本体１ａの上記フレーム１ａ１位置が上下に調整可能となっている。
従って、原稿画像読取装置本体１ａに遮られ、スキュー等の異常画像等の発生を簡単な構成で容易に防止して、胴内排紙部３内は大きなスペースがあり被記録体Ｐの除去操作性も良く、ユニット等の交換や、原稿画像読取装置本体１ａの位置の微調整を自動で行うことが可能となり、調整等のメンテナンス性と外観品質にも優れ、安全で省スペースの上記画像形成装置１０００を提供することが出来るようになった。
【００２５】
図１３と図１４は本発明の他の実施形態の要部構成図であり、同図において、画像形成装置１０００は、可動支持手段４の支持位置調整手段４ｂの検出ユニット４ｂ３によって、原稿画像読取装置本体１ａを支持する少なくとも一箇所の支持位置の位置検出を行うから、原稿画像読取装置本体１ａの位置の微調整を高精度で行うことが出来るようになった。
ウォームホイール４ｂ２３側面の最も偏心量の少ない位置（Ｘ＜Ｙ）にリブ４ｂ３１を立て、そこにセンサ４ｂ３２を取付けて基準位置とする。
事前に駆動源４ｂ２６の回転数と偏心ボス４ｂ２４の偏心量の関係を記憶装置４ｂ３３に記憶させておき、原稿画像読取装置本体１ａの位置を調整する必要がある場合には、駆動源４ｂ２６を所定の回転数の回動駆動によって、原稿画像読取装置本体１ａが所定の位置まで調整することが可能となる。
そして、再調整する場合には、一度基準位置まで、原稿画像読取装置本体１ａを戻すことより正確に位置調整する事が可能である。
従って、原稿画像読取装置本体１ａに遮られ、スキュー等の異常画像等の発生を簡単な構成で容易に防止して、胴内排紙部３内は大きなスペースがあり被記録体Ｐの除去操作性も良く、ユニット等の交換や、原稿画像読取装置本体１ａの位置の微調整を高精度で行うことが可能となり、調整等のメンテナンス性と外観品質にも優れ、安全で省スペースの画像形成装置１０００を提供することが出来るようになった。
【００２６】
次に、原稿画像読取装置本体１ａの歪み検出、及び、制御方法について説明する。
画像形成装置１０００では、制御ユニット４ｂ４によって、原稿画像読取装置本体１ａを支持する少なくとも一箇所の支持位置を最適位置になるように、微調整を高精度で自動的に行うことが出来る。
正確な長方形の原稿Ｏを用意し、この長方形の各部寸法を記憶装置４ｂ３３に記憶させておき、この原稿Ｏを原稿画像読取装置本体１ａで読み取りを行う。
原稿画像読取装置本体１ａで読み取ったデータと、記憶装置４ｂ３３に記憶させておいた寸法を制御ユニット４ｂ４で比較することによって、原稿画像読取装置本体１ａの歪みの量を測定して、原稿画像読取装置本体１ａが最適な位置に自動的に調整されるようになっている。
又、図示しない画像形成部２のプロッタ部にも被記録体Ｐのスキュー等、歪みを発生させる要因はあるが、これも含めた歪みの検出方法としては、上記長方形の原稿Ｏを、原稿画像読取装置本体１ａで読み取り、その読み取り画像を被記録体Ｐに出力してトナー画像を形成し、そのトナー画像を再度、原稿画像読取装置本体１ａで読み取りを行い、読み取ったデータと、上記記憶装置４ｂ３３に記憶させておいた寸法を比較すれば、上記画像形成装置１０００全体の歪みの量が測定可能となる。
これらの歪みの量、及び、傾向と、それに応じた原稿画像読取装置本体１ａの調整位置を事前に上記記憶装置４ｂ３３に記憶させておき、その画像の歪みに合わせて、原稿画像読取装置本体１ａを位置調整する事でスキュー等の異常画像を補正する事が可能となる。
従って、原稿画像読取装置本体１ａに遮られ、スキュー等の異常画像等の発生を簡単な構成で容易に防止して、胴内排紙部３内は大きなスペースがあり被記録体Ｐの除去操作性も良く、ユニット等の交換や、この一連の原稿画像読取装置本体１ａを位置調整する操作に際しては、外装カバー５を外す必要がないため、ユーザが上記操作パネル６上から、簡単な構造で容易に行う事が可能であるし、工場内で調整操作を行う場合にも外装カバー５を外す手間が省けて、調整等のメンテナンス性と外観品質にも優れ、安全で省スペースの画像形成装置１０００を提供することが出来るようになった。
【図面の簡単な説明】
【００２７】
【図１】本発明の実施の形態例を示す画像形成装置を説明する斜視図。
【図２】本発明の実施の形態例を示す画像形成装置を説明する説明図。
【図３】本発明の実施の形態例を示す画像形成装置の主要部の状態を説明する展開図。
【図４】本発明の実施の形態例を示す画像形成装置の主要部の他の状態を説明する斜視図。
【図５】本発明の実施の形態例を示す画像形成装置の他の主要部の状態を説明する展開図。
【図６】本発明の実施の形態例を示す画像形成装置の他の主要部の状態を説明する展開図。
【図７】本発明の実施の形態例を示す画像形成装置の他の主要部の状態を説明する展開図。
【図８】本発明の他の実施の形態例を示す画像形成装置の概略を説明する斜視図。
【図９】本発明の他の実施の形態例を示す画像形成装置の主要部を説明する展開図。
【図１０】本発明の他の実施の形態例を示す画像形成装置の主要部を説明する展開図。
【図１１】本発明の他の実施の形態例を示す画像形成装置の他の主要部を説明する展開図。
【図１２】本発明の他の実施の形態例を示す画像形成装置の他の主要部を説明する説明図。
【図１３】本発明の他の実施の形態例を示す画像形成装置の他の主要部を説明する説明図。
【図１４】本発明の他の実施の形態例を示す画像形成装置の他の主要部を説明する説明図。
【符号の説明】
【００２８】
０  画像形成装置、
０ａ  装置本体、
０ａ１    装置本体フレーム、
０ａ２    装置本体フレーム、
０ｂ  構造体
１  原稿画像読取装置、
１ａ  原稿画像読取装置本体、
１ａ１    フレーム、
１ａ１１  開放支点部材、
１ａ１２  開口部、
１ａ２    コンタクトガラス、
１ａ３    読み取りユニット、
１ａ３１  光源、
１ａ３２  光学系、
１ａ３３  ＣＣＤ、
１ｂ  自動原稿搬送装置（ＡＤＦ）、
１ｂ１    原稿台、
１ｂ２    ピックアップローラ、
１ｂ３    原稿搬送ベルト、
１ｃ  開放阻止部材、
１ｄ  原稿排紙トレイ
２  画像形成部、
２ａ  像担持体、
２ｂ  帯電装置、
２ｃ  書き込みユニット、
２ｄ  現像装置、
２ｅ  転写装置、
２ｆ  クリーニング装置、
２ｇ  定着装置、
２ｈ  排出部、
２ｈ１    排出ローラ対
３  胴内排紙部、
３ａ  開放部
４  可動支持手段、
４ａ  開放手段、
４ａ１    開放角度規制部材、
４ａ２    原稿画像読取装置固定部材、
４ａ３    原稿画像読取装置着脱部材、
４ａ３１  原稿画像読取装置着脱部材固定螺子、
４ａ４    支点部材、
４ａ５    支点軸、
４ｂ  支持位置調整手段、
４ｂ１    支持位置調整部材、
４ｂ２    駆動ユニット、
４ｂ２１  段付螺子、
４ｂ２２  軸、
４ｂ２３  ウォームホイール、
４ｂ２４  偏心ボス、
４ｂ２５  円筒ウォーム、
４ｂ２６  駆動源、
４ｂ２７  長穴、
４ｂ３    検出ユニット、
４ｂ３１  リブ、
４ｂ３２  センサ、
４ｂ３３  記憶装置、
４ｂ４    制御ユニット
５  外装カバー、
５ａ  自動原稿搬送装置（ＡＤＦ）着脱部材、
５ｂ  右カバー、
５ｂ１    螺子穴、
５ｂ２    螺子穴、
５ｂ３    螺子、
５ｂ４    開口部
６  操作パネル
７  給紙装置、
７ａ  給紙カセット、
７ｂ  給紙カセット、
７ｃ  給紙カセット、
１０  画像形成装置
１００  画像形成装置
１０００  画像形成装置
【図１】
2005258303.tif 000003
【図２】
2005258303.tif 000004
【図３】
2005258303.tif 000005
【図４】
2005258303.tif 000006
【図５】
2005258303.tif 000007
【図６】
2005258303.tif 000008
【図７】
2005258303.tif 000009
【図８】
2005258303.tif 000010
【図９】
2005258303.tif 000011
【図１０】
2005258303.tif 000012
【図１１】
2005258303.tif 000013
【図１２】
2005258303.tif 000014
【図１３】
2005258303.tif 000015
【図１４】
2005258303.tif 000016